(57)【特許請求の範囲】
【請求項１】
通信相手に送信すべき信号を中間周波数帯に変調した中間周波数帯変調信号と局部発振信号のハーモニクス成分とを乗積することにより生成した無線変調信号を送信する送信手段と、
上記通信相手から受信した受信信号から周波数N・ｆLOの局部発振信号のハーモニクス成分と無線変調信号成分とを帯域分離する帯域分離手段と、
上記帯域分離手段により分離された局部発振信号のハーモニクス成分を１/Nに分周することにより周波数ｆLOの局部発振信号を生成する注入同期発振手段と、
上記帯域分離手段により分離された無線変調信号と上記注入同期発振手段により生成された上記局部発振信号のハーモニクス成分を乗積することによりこれを中間周波数帯へダウンコンバートする受信制御手段とを備えること
を特徴とする双方向無線通信装置。
【請求項２】
上記送信手段は、上記局部発振信号のハーモニクス成分を上記無線変調信号とともに上記通信相手へ送信すること
を特徴とする請求項１記載の双方向無線通信装置。
【請求項３】
通信相手に送信すべき信号を中間周波数帯に変調した中間周波数帯変調信号と局部発振信号のハーモニクス成分とを乗積することにより生成した無線変調信号を送信し、
上記通信相手から受信した受信信号から周波数N・ｆLOの局部発振信号のハーモニクス成分と無線変調信号成分とを帯域分離し、
上記分離した局部発振信号のハーモニクス成分を１/Nに分周することにより周波数ｆLOの局部発振信号を生成し、
上記分離した無線変調信号と上記生成した上記局部発振信号のハーモニクス成分を乗積することによりこれを中間周波数帯へダウンコンバートすること
を特徴とする双方向無線通信方法。
【請求項４】
上記局部発振信号のハーモニクス成分を上記無線変調信号とともに上記通信相手へ送信すること
を特徴とする請求項３記載の双方向無線通信方法。
【請求項５】
双方向無線通信装置間で無線変調信号を送受信する双方向無線通信システムにおいて、
上記双方向無線通信装置は、
通信相手に送信すべき信号を中間周波数帯に変調した中間周波数帯変調信号と局部発振信号のハーモニクス成分とを乗積することにより生成した無線変調信号を送信する送信手段と、
受信した受信信号から周波数N・ｆLOの局部発振信号のハーモニクス成分と無線変調信号成分とを帯域分離する帯域分離手段と、
上記帯域分離手段により分離された局部発振信号のハーモニクス成分を１/Ｎに分周することにより周波数ｆLOの局部発振信号を生成する注入同期発振手段と、
上記帯域分離手段により分離された無線変調信号と上記注入同期発振手段により生成された上記局部発振信号のハーモニクス成分を乗積することによりこれを中間周波数帯へダウンコンバートする受信制御手段とを備えること
を特徴とする双方向無線通信システム。
【請求項６】
上記送信手段は、上記局部発振信号のハーモニクス成分を上記無線変調信号とともに上記通信相手へ送信すること
を特徴とする請求項５記載の双方向無線通信システム。
【請求項７】
上記局部発振信号のハーモニクス成分を含む信号を生成する局部発振器を更に備え、
上記双方向無線通信装置は、上記局部発振器により生成された信号を上記受信信号として受信すること
を特徴とする請求項５又は６記載の双方向無線通信システム。
【発明の詳細な説明】
【技術分野】
【０００１】
本発明は、複数の端末間において双方向通信を行う際に好適な双方向無線通信装置、双方向無線通信システム並びに方法に関する。
【背景技術】
【０００２】
高い無線周波数帯を使用する無線通信システムにおいては、通信相手に送信すべき信号を中間周波数帯に変調した中間周波数帯変調信号と局部発振信号とを乗積することにより無線変調信号を生成する送信手段と、通信相手から受信した無線変調信号と上記局部発振信号とを乗積することによりこれを中間周波数帯へダウンコンバートする受信手段とを備える双方向無線通信装置を用いるのが一般的である。
【０００３】
このとき、互いに通信する双方向無線通信装置双方で使用する局部発振源間は同期している必要があり、周波数差又は位相差に時間変動が生じた場合に、これがダウンコンバート後の変調信号に重畳されることになり、高品質な通信を実現できなくなる。
【０００４】
このため、従来においては、例えば特許文献１に示すような無線通信装置が提案されている。この無線通信装置は、送信側において無線周波数帯変調信号と局部発振信号とを同時に伝送し、受信側ではダウンコンバートする際に、伝送されてきた局部発振信号を同期局部発振源として使用するようにしている。このため、受信側において、本来高精度に周波数を安定させる必要のある局部発振器を不要にすることができることから、受信側の構成を簡略化することができ、同時に製造コストを抑えることが可能となる。また、送信側において使用する局部発振器には高い周波数安定度及び優れた位相雑音特性が要求されなくなるため、その製造コストをさらに抑えることが可能となる。
【０００５】
また、高品質な局部発振信号を用いることなく高品質な双方向無線通信を実現可能な双方向無線通信方法も提案されている（例えば、特許文献２参照。）。この特許文献２に示す開示技術では、第１無線局は内部に持つ局部発振信号源について、送信すべき中間周波数帯変調信号を無線周波数に周波数変換する目的と同時に、受信無線信号を中間周波数帯に変換する目的で共通利用する。また、第２無線局は、第１無線局が送信した局部発振信号成分を抽出再生し、これを送信すべき中間周波数帯変調信号を無線周波数に周波数変換する目的と同時に、受信無線信号を中間周波数帯に変換する目的として共通利用する。即ち、双方向通信を行う２つの無線局のうち一方の無線局のみに局部発振信号源を持たせておくことにより、他方の無線局への局部発振信号源の配設を不要とすることができる。また、局部発振信号に含まれる位相雑音及び周波数オフセットをキャンセルできるため、非常に高品質な双方向無線通信を実現することが可能となる。
【０００６】
更に特許文献３においては、ミリ波帯発振器によって生じる位相雑音や周波数オフセットによる信号品質劣化の問題を解決すると同時に、周波数利用効率を向上させることを目的とした無線通信方法が開示されている。この特許文献３に開示されている無線通信方法では、送信局から基準局部発振信号を送信し、無線通信端末は、受信した基準局部発振信号についてこれを増幅、帯域濾波した後、注入同期発振器によって基準局部発振信号を再生し、これを送信機能、受信機能で使用する
【特許文献１】特開２００１−５３６４０号
【特許文献２】特開２００２−９６５５号
【特許文献３】特開２００３−２４４０１６号
【発明の開示】
【発明が解決しようとする課題】
【０００７】
しかしながら、上述した従来の開示技術においては、周波数変換に必須となる局部発振信号の発振周波数を低くすることができないため、製造容易性を確保することができず、ひいては製造コストが増加してしまうという問題点があった。
【０００８】
また、上述した従来の開示技術においては、周波数同期をかけるためには、より高い入力キャリア電力が必要となるため、消費電力が上昇してしまうという問題点があった。
【０００９】
さらに、近年において、高効率デジタル変調信号の無線伝送を可能にするミリ波自己ヘテロダインシステムの開発が進んできているが、汎用のサブハーモニックミキサをかかるシステムに適用することにより、低コスト化を図る必要性もあった。
【００１０】
そこで、本発明は、上述した問題点に鑑みて案出されたものであり、その目的とするところは、低消費電力でしかも汎用性に優れ、高品質かつ安価な双方向通信を行うことが可能な双方向無線通信装置、双方向無線通信システム及び方法を提供することにある。
【課題を解決するための手段】
【００１１】
本発明者は、上述した問題点を解決するために、受信信号に含まれる周波数N・ｆＬＯの局部発振信号成分を周波数ｆＬＯに分周することにより局部発振信号を生成し、これを送信時における無線変調信号の生成に加え、受信時における中間周波数帯へのダウンコンバートに使用可能な双方向無線通信装置、双方向無線通信システム及び方法を発明した。
【００１２】
即ち、本発明を適用した双方向無線通信装置は、通信相手に送信すべき信号を中間周波数帯に変調した中間周波数帯変調信号と局部発振信号のハーモニクス成分とを乗積することにより生成した無線変調信号を送信する送信手段と、上記通信相手から受信した受信信号から周波数N・ｆＬＯの局部発振信号のハーモニクス成分と無線変調信号成分とを帯域分離する帯域分離手段と、上記帯域分離手段により分離された局部発振信号のハーモニクス成分を１/Nに分周することにより周波数ｆＬＯの局部発振信号を生成する注入同期発振手段と、上記帯域分離手段により分離された無線変調信号と上記注入同期発振手段により生成された上記局部発振信号のハーモニクス成分を乗積することによりこれを中間周波数帯へダウンコンバートする受信制御手段とを備えることを特徴とする。
【００１３】
また、本発明を適用した双方向無線通信方法は、通信相手に送信すべき信号を中間周波数帯に変調した中間周波数帯変調信号と局部発振信号のハーモニクス成分とを乗積することにより生成した無線変調信号を送信し、上記通信相手から受信した受信信号から周波数N・ｆＬＯの局部発振信号のハーモニクス成分と無線変調信号成分とを帯域分離し、上記分離した局部発振信号のハーモニクス成分を１/Nに分周することにより周波数ｆＬＯの局部発振信号を生成し、上記分離した無線変調信号と上記生成した上記局部発振信号のハーモニクス成分を乗積することによりこれを中間周波数帯へダウンコンバートすることを特徴とする。
【００１４】
また、本発明を適用した双方向無線通信システムは、双方向無線通信装置間で無線変調信号を送受信する双方向無線通信システムにおいて、上記双方向無線通信装置は、通信相手に送信すべき信号を中間周波数帯に変調した中間周波数帯変調信号と局部発振信号のハーモニクス成分とを乗積することにより生成した無線変調信号を送信する送信手段と、受信した受信信号から周波数N・ｆLOの局部発振信号のハーモニクス成分と無線変調信号成分とを帯域分離する帯域分離手段と、上記帯域分離手段により分離された局部発振信号のハーモニクス成分を１/Ｎに分周することにより周波数ｆLOの局部発振信号を生成する注入同期発振手段と、上記帯域分離手段により分離された無線変調信号と上記注入同期発振手段により生成された上記局部発振信号のハーモニクス成分を乗積することによりこれを中間周波数帯へダウンコンバートする受信制御手段とを備えることを特徴とする。
【発明の効果】
【００１５】
本発明では、受信信号に含まれる周波数N・ｆＬＯの局部発振信号成分を周波数ｆＬＯに分周することにより局部発振信号を生成し、これを送信時における無線変調信号の生成に加え、受信時における中間周波数帯へのダウンコンバートに使用する。
【００１６】
これにより、本発明では、局部発振信号の周波数を低くすることができるため、双方向無線通信装置の製造工程をより簡略化させることが可能となり、ひいては大幅なコスト削減を達成することが可能となる。
【００１７】
また、本発明では、低い入力キャリア電力で周波数同期をかけることも可能となり、消費電力の上昇を抑えることが可能となる。
【００１８】
また、本発明の如く注入同期発振器を、入力される周波数Ｎ・ｆＬＯの局部発振信号成分を周波数ｆＬＯに分周するものとして設計することにより、周波数Ｎ・ｆＬＯのものから周波数Ｎ・ｆＬＯのものを生成するものとして設計する場合よりも、得られる局部発振信号の出力を相対的に高くすることができ、同期周波数幅もこれに応じて拡大させることが可能と考えられる。この同期周波数幅を改善することができれば、システムの汎用性をより向上させることができ、さらに高品質の双方向無線通信を実現することが可能となる。
【発明を実施するための最良の形態】
【００１９】
以下、本発明を実施するための最良の形態として、複数の端末間において双方向通信を行う際に好適な双方向無線通信システムについて、図面を参照しながら詳細に説明する。
【００２０】
本発明を適用した双方向無線通信システムのシステム構成は、例えば図１に示すように、双方向で信号を送受信する複数の双方向無線通信装置２を備えている。
【００２１】
双方向無線通信システム１は、何れか一の双方向無線通信装置２がマスターモードとして機能し、これ以外の他の双方向無線通信装置２がスレーブモードとして機能するものである。この双方向無線通信システム１は、特にＳＨＦ(Super High Frequency)帯以上の高周波数帯で用いられる、例えば、ミリ波若しくは準ミリ波を利用した無線ＬＡＮ、無線ホームリンク、無線映像伝送システム、無線路車間通信システム、無線車車間通信システム等の双方向無線通信に適用される。
【００２２】
次に、双方向無線通信装置２の構成について説明をする。図２は、双方向無線通信システム１内において互いに信号を送受信する双方向無線通信装置２ａ、２ｂの構成を示している。
【００２３】
双方向無線通信装置２は、例えば図２に示すように、通信相手に送信すべき信号を変調する変調信号生成部１１と、この変調信号生成部１１に接続されたハーモニックミキサ１２と、このハーモニックミキサ１２に接続された増幅器１３と、増幅器１３に接続された帯域濾波器１４と、帯域濾波器１４からの信号を電磁波として空中に放射するためのアンテナ１５とを備えている。また、この双方向無線通信装置２は、通信相手から送られてきた電磁波としての信号を受信するためのアンテナ２１と、増幅器６１を介してこのアンテナ２１に接続された分波器２２と、分波器２２に接続されたハーモニックミキサ２３と、ハーモニックミキサ２３に連結された帯域濾波器２４と、この帯域濾波器２４に接続された変調信号復調部２５とを備えている。さらに、この無線信号通信装置２には、ハーモニックミキサ１２、２３並びに分波器２２には、注入同期発振部３１が接続されている。
【００２４】
変調信号生成部１１は、通信相手に送信すべき信号を中間周波数帯に変調した中間周波数帯変調信号を生成する。
【００２５】
ハーモニックミキサ１２は、変調信号生成部１１により生成された中間周波数帯変調信号と、注入同期発振部３１により発振された局部発振信号とが供給される。このハーモニックミキサ１２は、供給された中間周波数帯変調信号と、局部発振信号のハーモニクスとを乗積することにより、無線変調信号を生成する。またハーモニックミキサ１２には、ＤＣ制御信号が供給されるような構成を採用するようにしてもよい。このＤＣ制御信号を制御することにより、無線変調信号に加えて、上記局部発振信号のハーモニクスをそのまま重畳させて通信相手へ送信することが可能となる。
【００２６】
増幅器１３は、ハーモニックミキサ１２において生成された無線変調信号を増幅する。また帯域濾波器１４は、増幅器１３において増幅された無線変調信号における不要波を除去する。アンテナ１５は、帯域濾波器１４を介して送られてきた無線変調信号を相手側の双方向無線通信装置２へと送信する。
【００２７】
また、分波器２２は、通信相手から受信した受信信号から局部発振信号のハーモニクス成分と無線変調信号成分とを帯域分離する。帯域分離された局部発振信号のハーモニクス成分は上記注入同期発振部３１へ送信され、また無線変調信号成分は、ハーモニックミキサ２３へと送られることになる。
【００２８】
ハーモニックミキサ２３は、注入同期発振部３１から送信されてくる局部発振信号のハーモニクスと、分波器２２から送信されてくる無線変調信号とを乗積する。かかる信号の乗積が行われることにより、中間周波数帯へとダウンコンバートされることになる。ダウンコンバートされた信号のうち不要成分は帯域濾波器２４において除去された上で変調信号復調部２５において復調されていくことになる。
【００２９】
注入同期発振部３１は、分波器２２により分離された局部発振信号のハーモニクス成分を１／Nの周波数に分周することにより局部発振信号を生成する。注入同期発振部３１は、この生成した局部発振信号をハーモニックミキサ１２並びにハーモニックミキサ２３に送信する。即ち、ハーモニックミキサ１２並びにハーモニックミキサ２３は、この注入同期発振部３１において上記局部発振信号のハーモニクス成分を分周することにより得られた局部発振信号を上述の如く乗積していくことになる。
【００３０】
次に、本発明を適用した双方向無線通信システムの動作について、図２に示す双方向無線通信装置２ａをマスターモードとして機能させ、双方向無線通信装置２ｂをスレーブモードとして機能させる場合を例にとり説明をする。
【００３１】
先ず、マスターモードとして機能する双方向無線通信装置２ａにおける変調信号生成部１１により中間周波数帯変調信号を生成し、これをハーモニックミキサ１２へと出力する。ハーモニックミキサ１２において、変調信号生成部１１により生成された中間周波数帯変調信号と、注入同期発振部３１により発振された局部発振信号のハーモニクスとを乗積する。このとき、ＤＣ制御信号をこのハーモニックミキサ１２へと供給する。ハーモニックミキサ１２をいわゆるバランス型のミキサ構成とすることにより、通常のミキサ出力における局部発振信号成分の発生を十分に抑制することが可能となるが、このようなＤＣ制御信号を用いることにより、平衡状態を意図的に崩すなどすれば、出力における局部発振信号成分のレベルを調整することが可能となる。
【００３２】
なお、このようなＤＣ制御信号を用いる代わりに、例えば、注入同期発振部３１から供給される局部発振信号を図示しないＮ逓倍回路と加算回路の組み合わせ等を用いることにより直接加算するようにしてもよい。
【００３３】
その結果、図３(a)に示すように、無線変調信号に加え、中心周波数N・ｆＬＯの局部発振信号のハーモニクス成分が生成されることになる。この局部発振信号のハーモニクス成分は、局部発振信号のハーモニクスにつき何ら変調を施さないいわゆる無変調キャリアである。即ち、このハーモニックミキサ１２において、図３(a)に示すようなスペクトル波形からなる、無線変調信号と局部発振信号のハーモニクス成分の合成信号が生成されることになる。この合成信号は、増幅器１３、帯域濾波器１４、アンテナ１５を介して通信相手としての双方向無線通信装置２ｂへと送信されることになる。
【００３４】
双方向無線通信装置２ｂは、上記局部発振信号成分が合成された無線変調信号をアンテナ２１を介して受信し、分波器２２においてこれら局部発振信号のハーモニクス成分と無線変調信号成分とを帯域分離する。帯域分離された中心周波数N・ｆＬＯの局部発振信号のハーモニクス成分は上記注入同期発振部３１へ送信される。
【００３５】
注入同期発振部３１は、供給された周波数N・ｆＬＯの局部発振信号のハーモニクス成分を周波数ｆＬＯに分周する。注入同期発振部３１に供給される周波数N・ｆＬＯの局部発振信号のハーモニクス成分は周波数的に安定した信号である必要はなく、これについて周波数を１／Nに分周した周波数ｆＬＯの信号についても同様の周波数変動特性を得ることができ、該分周された局部発振信号で送受信される無線信号の周波数および位相変動特性を完全にコヒーレントな関係とすることが可能となる。また注入同期発振部３１は、周波数を１／Nに分周するものとして設計することにより、出力される周波数ｆＬＯの局部発振信号の出力電力を増加させることが容易となる。
【００３６】
このような周波数ｆＬＯの局部発振信号がそれぞれハーモニックミキサ１２、ハーモニックミキサ２３へと供給されることになる。この周波数ｆＬＯの局部発振信号を利用することにより、ハーモニックミキサ１２において無線変調信号が順次生成されていくとともに、ハーモニックミキサ２３においては無線変調信号が順次ダウンコンバートされていくことになる。
【００３７】
ちなみに、スレーブモードとして機能する双方向無線通信装置２ｂは、かかる周波数ｆＬＯの局部発振信号を利用することにより、ハーモニックミキサ１２において無線変調信号を生成する結果、送信すべき信号は、図３(b)に示すように無線変調信号のみで構成され、局部発振信号のハーモニクス成分を特に含まないものとされる。
【００３８】
このようにｆＬＯに分周した局部発振信号は、信号送信時における中間周波数帯変調信号との乗積に使用することができることに加え、さらに無線変調信号を中間周波数帯へダウンコンバートする際にも使用することができる。
【００３９】
即ち、本発明においては、注入同期発振部３１において供給された周波数Ｎ・ｆＬＯの局部発振信号のハーモニクス成分を周波数ｆＬＯに分周する。これにより、局部発振信号の周波数を低くすることができるため、双方向無線通信装置の製造工程をより簡略化させることが可能となり、ひいては大幅なコスト削減を達成することが可能となる。
【００４０】
また、本発明においては、ハーモニックミキサ１２に供給されてくる局部発振信号は、予め注入同期発振部３１において受信した周波数Ｎ・ｆＬＯの局部発振信号のハーモニクス成分が周波数ｆＬＯに分周された状態とされているため、ハーモニックミキサ１２について汎用のサブハーモニックミキサなどを適用することが可能となる。このため、本発明に係る双方向無線通信システム１をミリ波自己ヘテロダイン方式として使用する際には、汎用のサブハーモニックミキサをミリ波自己ヘテロダイン方式に適用する途を切り開くことが可能となり、さらなる低コスト化を図ることも可能となる。また、これを適用したミリ波自己ヘテロダインシステム自体について汎用性を高めることも可能となる。
【００４１】
また、本発明においては、注入同期発振部３１から出力される周波数ｆＬＯの局部発振信号の電力を増加させることができる。即ち、周波数Ｎ・ｆＬＯの局部発振信号のハーモニクス成分を周波数ｆＬＯに分周することにより、より高電力出力を得ることが可能となる。その結果十分な局部発振信号電力をミキサ回路に供給することが可能となるため、周波数変換に伴う変換損失を低下させることができる。ちなみに、注入同期発振部３１の如き分周回路としては、従来においてフリップフロップベースのものも提案されているが、これと比較しても、低い消費電力により周波数分周を実現することが可能となる。
【００４２】
即ち、本発明においては、周波数Ｎ・ｆＬＯの局部発振信号成分を周波数ｆＬＯに分周することにより、図３(c)に示すように局部発振信号の電力を増強することができる。この図３(c)は、注入同期発振部３１に入力される局部発振信号成分の電力Ｐinjを横軸に、また注入同期発振部３１から出力される局部発振信号の電力Ｐoutの関係を示している。注入同期発振部３１において周波数２ｆＬＯから周波数２ｆＬＯへと何ら分周を施さない場合と比較して、周波数２ｆＬＯから周波数ｆＬＯへと分周を施す場合には、電力Ｐoutを増強させることができることが示されている。また、周波数２ｆＬＯから周波数ｆＬＯへと分周を施す場合には、Ｐinjが比較的低いであっても出力電力Ｐoutが安定した数値を示し、周波数のロッキングに好適な環境を作り出すことができる点においても有利となる。
【００４３】
ちなみに、周波数のロッキングレンジΔｆは、以下の（１）式から導くことが可能となる。
【００４４】
Δｆ＝ｆosc／Ｑext×（Ｐinj／Ｐosc）１／２・・・・・・・・・・・・（１）
【００４５】
ここで、Ｐinjは、注入同期発振器３１に入力されるキャリア電力であり、ｆoscは、注入同期発振器３１への入力周波数に相当するものであり、当該注入同期発振器３１のフリーランニング時における発振周波数を示している。また、Ｐoscは、注入同期発振器３１への入力周波数における、同発振器３１のフリーランニング時における出力電力である。
【００４６】
注入同期発振器３１において入力周波数２ｆＬＯから出力周波数２ｆＬＯへと何ら分周を施さない場合と比較して、この注入同期発振器３１において入力を２分周した場合に、Ｐoscは低くなる。このため、これらの傾向を上記式（１）に代入した場合には、注入同期発振器３１において入力を２分周した場合の方がΔｆが大きくなる。
【００４７】
周波数Ｎ・ｆＬＯの局部発振信号成分を分周させることなく、そのまま周波数Ｎ・ｆＬＯの局部発振信号として出力する場合と比較して、本発明の如く周波数Ｎ・ｆＬＯの局部発振信号のハーモニクス成分を周波数ｆＬＯに分周することにより、生成される局部発振信号の出力を高くすることができ、同期周波数幅もこれに応じて拡大させることが可能となる。この同期周波数幅を改善することができれば、システムの汎用性をより向上させることができ、さらに高品質の双方向無線通信を実現することが可能となる。また、スレーブモードとしての役割を担う双方向無線通信装置２ｂにおいて、不安定な局部発振信号しか発振できない場合であっても、本発明においては、注入同期発振部３１において分周された上述の如き局部発振信号を生成することができるため、結果として高品質な通信を可能とすることが可能となる。
【００４８】
また、図３(c)に示す傾向より、入力される周波数Ｎ・ｆＬＯの局部発振信号成分が低電力であっても、周波数同期をかけることが可能となる。これにより、特に局部発振信号成分を送信するマスターモードとしての役割を担う双方向無線通信装置２ａにおいて、結果的に消費電力を低下させることができ、非線形劣化を改善することも可能となる。
【００４９】
なお、本発明は、上述した実施の形態に限定されるものではない。例えば図４(a)に示すような双方向無線通信システム３に対しても適用可能である。なお、この双方向無線通信システム３において、上述した双方向無線通信システム１と同一の構成要素、部材に関しては、同一の番号を付すことにより以下での説明を省略する。
【００５０】
双方向無線通信システム３は、上述した双方向無線通信装置２に加えて、局部発振成分を含む信号を生成する局部発振器４を更に備えている。この局部発振器４は、図４(b)に示すように、基準局部発振回路４１と、これに接続されたアンテナ４２とを備えている。
【００５１】
このような構成からなる双方向無線通信システム３の動作について説明をする。
【００５２】
先ず、局部発振器４における基準局部発振回路４１から、図４(b)に示すような周波数ｆＬＯの局部発振信号成分を生成し、これをアンテナ４２を介して送信する。双方向無線通信システム３内に配置された双方向無線通信装置２は、最初にこの局部発振信号ハーモニクス成分を受信し、これにつき注入同期発振部３１において１／Ｎ周波数に分周させる。双方向無線通信装置２は、この分周して得た周波数ｆＬＯの局部発振信号をハーモニクスミキサ１２へと出力し、上述の如く周波数変換処理に用いることになる。その後、他の双方向無線通信装置２との間で無線変調信号の送受信が実行されていくことになる。
【００５３】
この双方向無線通信システム３においては、双方向無線通信装置２内において周波数Ｎ・ｆＬＯの局部発振信号成分を生成する必要性がなくなることから、ＤＣ制御信号をこのハーモニクスミキサ１２へと供給する必要はなくなる。また、この双方向無線通信装置３においても、上述した双方向無線通信システム１と同様の作用効果が得られることは勿論である。
【図面の簡単な説明】
【００５４】
【図１】本発明を適用した双方向無線通信システムのシステム構成図である。
【図２】本発明を適用した双方向無線通信装置のブロック構成を示す図である。
【図３】(a)は、無線変調信号に加え、中心周波数Ｎ・ｆＬＯの局部発振信号成分が生成された場合におけるスペクトル波形を示す図である。(b)は、無線変調信号のみで構成され、局部発振信号成分を特に含まない場合におけるスペクトル波形を示す図である。
【図４】本発明を適用した双方向無線通信システムにおける他のシステム構成図である。
【符号の説明】
【００５５】
１  双方向無線通信システム
２  双方向無線通信装置
１１  変調信号生成部
１２  ハーモニックミキサ
１３  増幅器
１４  帯域濾波器
１５  アンテナ
２１  アンテナ
２２  分波器
２３  ハーモニックミキサ
２４  帯域濾波器
２５  変調信号復調部
３１  注入同期発振部
６１  増幅器
【図１】
0004630990.tif 000002
【図２】
0004630990.tif 000003
【図３】
0004630990.tif 000004
【図４】
0004630990.tif 000005